(57)【要約】      （修正有）【課題】  家屋のベランダ等において使用しやすい防虫具を提供する。【解決手段】  枠部材５及び通気部材６を有する本体部２と、本体部２を他の部材に係止させる係止部３を備え、通気部材６は枠部材５に囲まれ、通気部材６にはエステル化合物の害虫防除成分が保持されていることを特徴とする防虫具。【選択図】  図１
2006314284.tif 000002
【特許請求の範囲】
【請求項１】
枠部材及び通気部材からなる本体部と、該本体部を他の部材に係止させる係止部を備え、前記通気部材は前記枠部材に囲まれ、前記通気部材は、害虫防除成分が樹脂成分に保持されてなる害虫防除材であり、該害虫防除成分が式（１）で示されるエステル化合物であることを特徴とする防虫具。
【化１】
2006314284.tif 000007
〔式中、Ｒ1は水素原子又はメチル基を表し、
Ｒ2はメチル基又はＣＨ＝ＣＲ21Ｒ22
（式中、Ｒ21及びＲ22は独立して、水素原子、メチル基又は塩素原子を表す。）
で示される基を表し、
Ｒ3は水素原子、メチル基又はメトキシメチル基を表す。〕
【請求項２】
前記通気部材は、前記害虫防除成分がポリオレフィン系樹脂に保持されてなる害虫防除材であり、該ポリオレフィン系樹脂は、不飽和カルボン酸エステル又はカルボン酸ビニルエステルとオレフィンとの共重合体であることを特徴とする請求項１に記載の防虫具。
【請求項３】
害虫防除成分が式（２）で示されるエステル化合物であり、前記通気部材は前記害虫成分と樹脂成分とを混練、成形してなる害虫防除材であることを特徴とする請求項１又は２に記載の防虫具。
【化２】
2006314284.tif 000008
〔式中、Ｒ3は水素原子、メチル基又はメトキシメチル基を表し、
Ｒ21及びＲ22は独立して、水素原子、メチル基又は塩素原子を表す。〕
【請求項４】
本体部は板状であることを特徴とする請求項１〜３の何れかに記載の防虫具。
【請求項５】
生活用品に擬態した形状を有することを特徴とする請求項１〜４の何れかに記載の防虫具。
【請求項６】
本体部は衣類に擬態した形状を有することを特徴とする請求項１〜５の何れかに記載の防虫具。
【請求項７】
係止部によって吊り下げることができることを特徴とする請求項１〜６の何れかに記載の防虫具。
【請求項８】
係止部は衣類ハンガーのフック部の形状を有することを特徴とする請求項７に記載の防虫具。
【請求項９】
係止部と枠部材は一体に形成されていることを特徴とする請求項１〜８の何れかに記載の防虫具。
【請求項１０】
通気部材は網状であることを特徴とする請求項１〜９の何れかに記載の防虫具。
【請求項１１】
通気部材は格子状であることを特徴とする請求項１〜９の何れかに記載の防虫具。
【請求項１２】
通気部材は交換可能に枠部材に取り付けられていることを特徴とする請求項１〜１１の何れかに記載の防虫具。
【請求項１３】
外気にさらされた時間に応じて外観が変化する表示手段を外部から目視可能な状態で備えたインジケータを有することを特徴とする請求項１〜１２の何れかに記載の防虫具。
【発明の詳細な説明】
【技術分野】
【０００１】
本発明は、防虫具に関する。より詳細には、簡易な構成であって、主として家屋のベランダ等において使用する防虫具に関する。
【背景技術】
【０００２】
【化３】
2006314284.tif 000003
【０００３】
〔式中、Ｒ1は水素原子又はメチル基を表し、
Ｒ2はメチル基又はＣＨ＝ＣＲ21Ｒ22
（式中、Ｒ21及びＲ22は独立して、水素原子、メチル基又は塩素原子を表す。）
で示される基を表し、
Ｒ3は水素原子、メチル基又はメトキシメチル基を表す。〕
で示されるエステル化合物が有害生物防除剤の有効成分として知られている（例えば、特許文献１、特許文献２、特許文献３及び特許文献４参照）。
【０００４】
上記一般式（１）で表される物質のうちには、Ｒ1が水素原子であり、Ｒ2がＣＨ＝ＣＲ21Ｒ22（式中、Ｒ21及びＲ22は独立して、水素原子、メチル基又は塩素原子を表す。）で示される基であるエステル化合物も、有害生物防除剤の有効成分として知られている（例えば、特許文献１、特許文献２参照。）。この化合物は、下記式（２）で表される。
【０００５】
【化４】
2006314284.tif 000004
【０００６】
〔式中、Ｒ3は水素原子、メチル基又はメトキシメチル基を表し、
Ｒ21及びＲ22は独立して、水素原子、メチル基又は塩素原子を表す。〕
【０００７】
また、常温揮散性殺虫成分や忌避成分を活性成分とする非加熱型の防虫具は、害虫防除において加熱を必要とせず、キャンプ等の屋外で使用できるため従来の加熱型防虫具に代わって実用に供されている。しかしながら、非加熱型の防虫具において用いられる薬剤保持体は、その製造、保存、使用時の取り扱い、並びに効能において必ずしも十分に満足するものではなく、新たな薬剤保持体及び該薬剤保持体を用いる防虫具の開発が望まれている。
【０００８】
戸建住宅、集合住宅における軒先、ベランダ等は屋内への害虫の侵入口となることから、屋内空間での害虫による被害を防除する上では、軒先、ベランダ等からの害虫の侵入を防ぐことは効率的な防除方法であるが、該方法に適合し、かつ充分満足できる防虫具は知られていない。
【０００９】
【特許文献１】特開２０００−６３３２９号公報
【特許文献２】特開２００１−１１０２２号公報
【特許文献３】欧州特許公開第６０６１７号明細書
【特許文献４】特開２００１−３０２５９０号公報
【発明の開示】
【発明が解決しようとする課題】
【００１０】
ベランダは、集合住宅においては、いわば家屋の顔であり、ここに外観上違和感がある物を吊り下げることは、家事従事者にとっては心理的抵抗の強いことであり、つい害虫防除剤の使用を躊躇しているうちに蚊等の虫に刺されて健康を損うことになりかねない。
【００１１】
そこで、本発明は、家屋のベランダ等において使用しやすい防虫具を提供することを、解決すべき課題とする。
【課題を解決するための手段】
【００１２】
上記課題を解決するための手段である請求項１に記載の発明は、
枠部材及び通気部材からなる本体部と、該本体部を他の部材に係止させる係止部を備え、前記通気部材は前記枠部材に囲まれ、前記通気部材は、害虫防除成分が樹脂成分に保持されてなる害虫防除材であり、該害虫防除成分が式（１）で示されるエステル化合物であることを特徴とする防虫具である。
【００１３】
【化５】
2006314284.tif 000005
【００１４】
〔式中、Ｒ1は水素原子又はメチル基を表し、
Ｒ2はメチル基又は
ＣＨ＝ＣＲ21Ｒ22
（式中、Ｒ21及びＲ22は独立して、水素原子、メチル基又は塩素原子を表す。）
で示される基を表し、
Ｒ3は水素原子、メチル基又はメトキシメチル基を表す。〕
【００１５】
かかる防虫具を他の部材（ベランダの物干し具等）に係止すれば、通気部材を風が通ることにより、気化した害虫防除成分が周囲の空気中に放出されるので、簡易な構成によりベランダ等において容易に害虫を駆除でき、家事従事者や家族等の健康保持に役立つ。
【００１６】
ここで、「害虫防除成分が保持されている」とは、基材上に塗布されているものと、基材に含浸または混練されているもののいずれをも含む概念であるが、例えば、樹脂成分と害虫防除成分を混練すれば、任意の形状に成形等の加工が容易であり、害虫防除成分が徐々に放出されるので好ましい。樹脂成分としては、ポリ塩化ビニル、ポリアミド、ポリエステル及びポリオレフィン系樹脂からなる群より選ばれる１種以上を含有してなる樹脂組成物であることが好ましい。特に、樹脂成分がポリオレフィン系樹脂を含有してなる樹脂組成物であることが好ましい。
【００１７】
また、請求項２に記載の発明は、前記通気部材は、前記害虫防除成分がポリオレフィン系樹脂に保持されてなる害虫防除材であり、該ポリオレフィン系樹脂は、不飽和カルボン酸エステル又はカルボン酸ビニルエステルとオレフィンとの共重合体であることを特徴とする請求項１に記載の防虫具である。
【００１８】
かかる構成によっても、簡易な構成によりベランダ等において害虫を駆除でき、家事従事者や家族等の健康保持に役立つ。
なお、本発明でいう「害虫防除材」とは、形状を有するものであるので、「防除材」と表記している。
【００１９】
請求項３に記載の発明は、害虫防除成分が式（２）で示されるエステル化合物であり、前記通気部材は前記害虫成分と樹脂成分とを混練、成形してなる害虫防除材であることを特徴とする請求項１又は２に記載の防虫具である。
【００２０】
【化６】
2006314284.tif 000006
【００２１】
〔式中、Ｒ3は水素原子、メチル基又はメトキシメチル基を表し、
Ｒ21及びＲ22は独立して、水素原子、メチル基又は塩素原子を表す。〕
【００２２】
かかる構成によっても、簡易な構成によりベランダ等において害虫を駆除でき、家事従事者や家族等の健康保持に役立つ。
【００２３】
請求項４に記載の発明は、本体部は板状であることを特徴とする請求項１〜３の何れかに記載の防虫具である。
【００２４】
かかる構成によれば、防虫具はコンパクトであって場所を取らない。
【００２５】
請求項５に記載の発明は、生活用品に擬態した形状を有することを特徴とする請求項１〜４の何れかに記載の防虫具である。
【００２６】
かかる構成によれば、本発明の防虫具を家庭において使用しても目立たないので、防虫具が使用しやすい。
【００２７】
請求項６に記載の発明は、本体部は衣類に擬態した形状を有することを特徴とする請求項１〜５の何れかに記載の防虫具である。
【００２８】
かかる構成によれば、本発明の防虫具をベランダ等で使用しても目立たないので、防虫具が使用しやすい。
【００２９】
請求項７に記載の発明は、係止部によって吊り下げることができることを特徴とする請求項１〜６の何れかに記載の防虫具である。
【００３０】
かかる構成によれば、本発明の防虫具を、例えばベランダの物干竿に吊り下げることにより、容易に使用できる。
【００３１】
請求項８に記載の発明は、係止部は衣類ハンガーのフック部の形状を有することを特徴とする請求項７に記載の防虫具である。
【００３２】
かかる構成によれば、本発明の防虫具をベランダ等に吊り下げたときに目立たないので、防虫具が使用しやすい。
【００３３】
請求項９に記載の発明は、係止部と枠部材は一体に形成されていることを特徴とする請求項１〜８の何れかに記載の防虫具である。
【００３４】
かかる防虫具は、構成が簡易で製作が容易である。
【００３５】
請求項１０に記載の発明は、通気部材は網状であることを特徴とする請求項１〜９の何れかに記載の防虫具である。
【００３６】
かかる構成によれば、害虫防除成分が揮散しやすい。
【００３７】
請求項１１に記載の発明は、通気部材は格子状であることを特徴とする請求項１〜９の何れかに記載の防虫具である。
【００３８】
かかる構成によっても、害虫防除成分が揮散しやすい。
【００３９】
請求項１２に記載の発明は、通気部材は交換可能に枠部材に取り付けられていることを特徴とする請求項１〜１１の何れかに記載の防虫具である。
【００４０】
かかる構成によれば、害虫防除成分が気化しきったところで通気部材のみを交換することにより、枠部材、係止部はそのまま使用し続けることができ、資源を節約しつつ防虫効果を得ることができる。
【００４１】
通気部材を交換可能に枠部材に取り付ける具体的構成として、種々のものが採用できる。例えば、網状の通気部材を用いる場合、枠部材にピンを突設してそのピンに通気部材を引っ掛ける構成、枠部材を二枚重ね構造にしてその間に通気部材を挟む構成等が採用できる。
格子状の通気部材を用いる場合、例えば、枠部材の上下に溝を設け、格子状の通気部材を幾分弾性変形によりたわませてその上下の縁を当該溝に嵌め込む構成が採用できる。また、上記溝に替えて複数の孔を設け、格子状の通気部材には上下に複数の凸部を設け、同様に弾性変形を利用して孔に凸部を嵌め込む構成も採用できる。或いは、枠部材にレール状部を設けて通気部材をスライドさせて挿入する構成、枠部材を二枚重ね構造にしてその間に通気部材を挟む構成等も採用できる。
取付け・取外しの容易さやコストを考慮して、これらの構成を適宜選択して用いればよい。
【００４２】
請求項１３記載の発明は、外気にさらされた時間に応じて外観が変化する表示手段を外部から目視可能な状態で備えたインジケータを有することを特徴とする請求項１〜１２の何れかに記載の防虫具である。
【００４３】
かかる構成によって、害虫防除成分が気化しきる時期と上記外観が変化する時期を合わせておけば、使用者は、害虫防除成分が気化しきる時期、すなわち、防虫具または通気部材の交換時期を目視により容易に知ることができる。
【発明の効果】
【００４４】
本発明の防虫具によれば、簡易な構成により害虫を駆除でき、健康保持に役立つ。
【発明を実施するための最良の形態】
【００４５】
まず、本発明の実施形態である防虫具の形状について説明し、材質については後述する。防虫具の形状としては、例えば生活用品が挙げられ、具体的にはズボン、Ｔシャツ、タンクトップ、ランニングシャツ、ワイシャツ、ブラウス、パンツ、トレーナー等の衣類、靴、タオル、シーツ、布団等が挙げられる。生活用品以外の本防虫具の形状としては、イヌ、ネコ、ウシ、馬、リス、鶏、鳥、蝙蝠、トンボ、カエル等の生物の形状が挙げられる。本発明の一実施形態である防虫具を図１に符号１で示す。防虫具１は衣類ハンガーに掛けられた半袖シャツに擬態した形状のものである。防虫具１は、本体部２と係止部３からなり、係止部３は、防虫具１を物干し竿等に係止するための部分であるとともに、衣類ハンガーのフック部に擬態した形状のものである。本体部２は、その大部分において半袖シャツに擬態した形状を有するとともに、上部の一部分においては、衣類ハンガーのフック部以外であって半袖シャツに隠されていない部分に擬態した形状を有している。本体部２は、枠部材５と通気部材６からなり、通気部材６は枠部材５に囲まれている。枠部材５にはインジケータ７（後述）が取り付けられている。
【００４６】
防虫具１において、係止部３と枠部材５は一体であり、枠部材５は孔８を有する。通気部材６は図２のごとく枠部材５の孔８に取付け・取外し可能であって、交換できる。
【００４７】
通気部材６を枠部材５に取り付ける具体的構成として、図３に記載したものでは、枠部材５の上下に溝２１，２２が設けられている。そして、格子状の通気部材６を枠部材５に取り付けるには、通気部材６を幾分弾性変形によりたわませてその上下の縁２３，２４を溝２１，２２に嵌め込む。外力を取り去れば、通気部材６は溝２１，２２により保持される。通気部材６を枠部材５から取り外す際には、また通気部材６を弾性変形によりたわませればよい。
【００４８】
通気部材６を枠部材５に取り付ける具体的構成として、図４に記載したものでは、枠部材５の孔８の上下にレール状部材２５，２６が設けられており、格子状の通気部材６を、これらのレール状部材２５，２６をガイドとして横からスライドさせて差し込むことによって取り付け、また、取り外すことができる。
【００４９】
通気部材６を枠部材５に取り付ける具体的構成として、図５に記載したものでは、枠部材５の孔８の上下に、図５のレール状部材２５，２６と異なり、上下それぞれ複数のツメ状部材２７，２８が設けられており、格子状の通気部材６を、これらのツメ状部材２７，２８をガイドとして横からスライドさせて差し込むことによって取り付け、また、取り外すことができる。
【００５０】
本発明の他の実施形態である防虫具は、図６に符号１１で示すものである。図６の防虫具１１は衣類ハンガーに掛けられたランニングシャツに擬態した形状のものである。防虫具１１は、防虫具１と同様、本体部１２と係止部１３からなり、係止部１３は、防虫具１１を物干し竿等に係止するための部分であるとともに、衣類ハンガーのフック部に擬態した形状のものである。本体部１２は、枠部材１５と通気部材１６からなり、通気部材１６は枠部材１５に囲まれている。通気部材１６が網状である点は、防虫具１と異なる。防虫具１と同様、枠部材１５にはインジケータ１７が取り付けられている。
【００５１】
図６に示した実施形態においては、枠部材１５の孔１８の周囲に複数のピン１４が突設されている。網状の通気部材１６に幾分張力を加えながら各ピン１４に通気部材の網目を引っ掛ければ、通気部材１６は張力によって保持され、容易には外れない。
【００５２】
上記実施形態の変形例に用いる網状の通気部材１６’を図７に示す。この網状の通気部材１６’では、周辺部に複数の輪状部１９を設け、これらをピン１４に引っ掛けるものであるので、取り付けが容易である。
【００５３】
勿論、上記種々の構成はいずれも例示であり、通気部材６，１６を枠部材５，１５に取り付ける構成として他のものを採用してもよい。
【００５４】
防虫具１を洗濯物３１，３２とともに吊り下げたベランダ３３の斜視図を図８に示す。この図から判るように、本発明の防虫具は遠方から見れば洗濯物のように見え、外観上目立たないので使用しやすい。
【００５５】
勿論、本発明の防虫具は、他の衣類に擬態しても構わない。防虫具の大きさは、特に限定するものではないが、幼児又は小児用衣類程度の大きさが、外観上違和感がなく、しかも場所を取らないので好適である。
【００５６】
なお、図１，２の通気部材６，１６の外観は長方形状であるが、通気部材を三角形、円形、或いは動植物や乗り物の形状等の種々の形状として、それ自体を衣類のデザインのように擬装してもよい。あるいは、枠部材に絵または模様を描き、通気部材の網状部または格子状部をその絵または模様の一部のように擬装してもよい。
【００５７】
枠部材と係止部は、材質は特に限定されないが、樹脂により成形すれば容易に製造できる。枠部材と係止部を一体成形すれば製造が簡易で済むが、別々に製造してもよい。本体部を衣類に擬態した形状とし、係止部を衣類ハンガーに擬態した形状とした防虫具をベランダに吊り下げれば、もっとも目立たないので使用しやすい。本体部を衣類に擬態した形状とする場合、枠部材に布帛を貼付する等の擬装をおこなってもよい。
【００５８】
通気部材を枠部材に取り付けるには、枠部材に孔を設け、その孔に、網状または格子状の通気部材を取り付ければよい。防虫具をベランダ等の外気に触れる場所に設置すれば、自然の風が通気部材を通過することによって害虫防除成分が防虫具近傍の空気中へ揮散し、害虫を駆除する。自然界において完全な無風状態ということはほとんどあり得ず、たとえ微風状態であっても気化した害虫防除成分は風によって通気部材から周囲へ送られるので、送風機を設置する必要はない。なお、たとえ無風状態であっても、気化した害虫防除成分は濃度差により徐々に周囲へ拡散する。
【００５９】
なお、上述の実施形態ではいずれも枠部材と通気部材は別体であるが、通気部材を交換しない実施形態においては、枠部材と通気部材を一体にして製造してもよい。
【００６０】
以下、通気部材（害虫防除材）の材質について説明する。本発明に用いられる式（１）で示されるエステル化合物、又はその下位概念である式（２）で示されるエステル化合物は、特開２０００−６３３２９号公報、特開２００１−１１０２２号公報、特開昭６３−２０３６４９号公報等に記載された化合物であり、例えば該公報に記載された方法で製造することができる。
式（１）及び（２）で示されるエステル化合物には不斉炭素に基づく異性体が存在し、また炭素−炭素二重結合に基づく異性体が存在する場合があるが、本発明には活性な異性体のいずれをも使用することができる。
【００６１】
式（１）及び／又は（２）で示されるエステル化合物としては、例えば２，３，５，６−テトラフルオロ−４−メトキシメチルベンジル  ３−（１−プロペニル）−２，２−ジメチルシクロプロパンカルボキシレート、２，３，５，６−テトラフルオロ−４−メチルベンジル  ３−（１−プロペニル）−２，２−ジメチルシクロプロパンカルボキシレート、２，３，５，６−テトラフルオロ−４−メトキシメチルベンジル  ３−（２−メチル−１−プロペニル）−２，２−ジメチルシクロプロパンカルボキシレート、２，３，５，６−テトラフルオロ−４−メトキシメチルベンジル  ２，２，３，３−テトラメチルシクロプロパンカルボキシレート、２，３，５，６−テトラフルオロ−４−メチルベンジル  ２，２，３−トリメチルシクロプロパンカルボキシレート、２，３，５，６−テトラフルオロベンジル  ３−（２，２−ジクロロビニル）−２，２−ジメチルシクロプロパンカルボキシレート、２，３，５，６−テトラフルオロ−４−メトキシメチルベンジル  １Ｒ−トランス−３−（１−プロペニル）−２，２−ジメチルシクロプロパンカルボキシレート、２，３，５，６−テトラフルオロ−４−メチルベンジル  １Ｒ−トランス−３−（１−プロペニル）−２，２−ジメチルシクロプロパンカルボキシレート、２，３，５，６−テトラフルオロ−４−メトキシメチルベンジル  １Ｒ−トランス−３−（２−メチル−１−プロペニル）−２，２−ジメチルシクロプロパンカルボキシレート、２，３，５，６−テトラフルオロ−４−メトキシメチルベンジル  １Ｒ−２，２，３，３−テトラメチルシクロプロパンカルボキシレート、２，３，５，６−テトラフルオロ−４−メチルベンジル  １Ｒ−トランス−２，２，３−トリメチルシクロプロパンカルボキシレート、２，３，５，６−テトラフルオロベンジル  １Ｒ−トランス−３−（２，２−ジクロロビニル）−２，２−ジメチルシクロプロパンカルボキシレート、２，３，５，６−テトラフルオロ−４−メトキシメチルベンジル  １Ｒ−トランス−３−（１−プロペニル（Ｅ／Ｚ＝１／８））−２，２−ジメチルシクロプロパンカルボキシレート、及び２，３，５，６−テトラフルオロ−４−メチルベンジル  １Ｒ−トランス−３−（１−プロペニル（Ｅ／Ｚ＝１／８））−２，２−ジメチルシクロプロパンカルボキシレートが挙げられる。
ここに明示した化合物は例示であり、明示しなかった化合物も、請求項記載の一般式を満たす限り本発明に含まれることは言うまでもない。
【００６２】
上記化合物のうちで、好適なものは、例えば２，３，５，６−テトラフルオロ−４−メトキシメチルベンジル  １Ｒ−トランス−３−（２−メチル−１−プロペニル）−２，２−ジメチルシクロプロパンカルボキシレート、２，３，５，６−テトラフルオロベンジル  １Ｒ−トランス−３−（２，２−ジクロロビニル）−２，２−ジメチルシクロプロパンカルボキシレート、２，３，５，６−テトラフルオロ−４−メトキシメチルベンジル  １Ｒ−トランス−３−（１−プロペニル（Ｅ／Ｚ＝１／８））−２，２−ジメチルシクロプロパンカルボキシレート、及び２，３，５，６−テトラフルオロ−４−メチルベンジル  １Ｒ−トランス−３−（１−プロペニル（Ｅ／Ｚ＝１／８））−２，２−ジメチルシクロプロパンカルボキシレートである。
【００６３】
本発明の防虫具において配置して用いられる、式（１）で示されるエステル化合物を常温揮散性の害虫防除成分として含有する害虫防除材（以下、本防除材と記す。）において用いられる樹脂成分としては、ポリ塩化ビニル、ポリ塩化ビニリデン、ポリオレフィン、アクリロニトリル−スチレン共重合体（AS）、アクリロニトリル−ブタジエン−スチレン共重合体（ABS）、ポリエステル（例えば、ポリエチレンテレフタレート（PET）が挙げられる。）、ポリカーボネート、ポリビニルアセタール、ポリアミド（例えば、６−ナイロン、６，６−ナイロン等のナイロンが挙げられる。）、ポリフェニレンエーテル、ポリスルホン、ポリエーテルスルホン、ポリエーテルエーテルケトン、ポリフェニレンスルフィド、ポリアリレート、メタクリル酸樹脂、エチレン−酢酸ビニル共重合体（EVA）、エチレン−ビニルアルコール共重合体（EVOH）系等の熱可塑性樹脂が挙げられる。樹脂成分は、これらのうちから適宜選択すればよいが、ポリ塩化ビニル、ポリアミド、ポリエステル及びポリオレフィン系樹脂からなる群より選ばれる１種以上を含有してなる樹脂組成物であることが好ましい。特にポリオレフィン系樹脂を含有してなる樹脂組成物であることが好ましい。
【００６４】
なお、ポリオレフィン系樹脂とはオレフィン単量体を主なモノマー成分とする樹脂を意味する。本発明におけるポリオレフィン系樹脂としては、例えば低密度および高密度ポリエチレン系樹脂、ポリプロピレン系樹脂、ポリブテン系樹脂及びポリスチレン系樹脂等が挙げられる。これらのうちから適宜選択すればよいが、ポリエチレン系樹脂が好ましい。
【００６５】
本発明において樹脂成分は、１種類の樹脂を単独で用いてもよいし、２種類以上の樹脂を適宜混合した樹脂組成物として用いてもよい。
【００６６】
本発明において２種以上の樹脂を混合した樹脂組成物としては、例えばポリエチレンテレフタレートとポリエチレン、ポリエチレンテレフタレートとポリプロピレン、ポリエチレンとエチレン−メタクリル酸メチル共重合体、ポリエチレンとエチレン−酢酸ビニル共重合体、アクリロニトリル−ブタジエン−スチレン共重合体とポリ塩化ビニル、アクリロニトリル−ブタジエン−スチレン共重合体とポリアミド、アクリロニトリル−ブタジエン−スチレン共重合体とポリブチレンテレフタレート等のブレンドが挙げられるがこれらに限定されるものではない。
【００６７】
本発明においてポリオレフィン系樹脂は、カルボン酸エステル単量体単位を含有してもよい。カルボン酸エステル単量体単位の含有量は本防除材全量に対して通常１〜５０重量％程度であり、好ましくは１〜１０重量％程度である。
【００６８】
本発明においてカルボン酸エステル単量体とは、不飽和カルボン酸エステル又はカルボン酸ビニルエステルを意味する。
不飽和カルボン酸エステルとしては、例えばアクリル酸メチル、アクリル酸エチル、アクリル酸ブチル等のアクリル酸の低級アルキルエステル、メタクリル酸メチル、メタクリル酸エチル、メタクリル酸ブチル等のメタクリル酸の低級アルキルエステルが挙げられ、カルボン酸ビニルエステルとしては、例えば酢酸ビニル等の低級脂肪酸のビニルエステルが挙げられる。これらのうちから適宜選択すればよいが、アクリル酸メチル、メタクリル酸メチル、又は酢酸ビニルが好ましく、特にメタクリル酸メチルが好ましい。
【００６９】
本発明に用いられるポリオレフィン系樹脂は、単独の重合体からなるものであっても、２種以上の重合体を混合したポリマーブレンドからなるものであってもよい。即ち、本発明に用いられるポリオレフィン系樹脂としては、カルボン酸エステル単量体単位の適切な量を含有するポリオレフィン系共重合体そのものを用いることもでき、また、カルボン酸エステル単量体単位を多く含有するポリオレフィン系共重合体（ポリオレフィン系共重合体に対するカルボン酸エステル単量体単位の量が例えば１０〜４０重量％のもの）とオレフィンの単独重合体とを混合して適切なカルボン酸エステル単量体単位を含有するように調整したポリマーブレンドを用いることもできる。なお、本発明において、ポリオレフィン系共重合体とは、オレフィン単量体を主なモノマー成分とし、他にカルボン酸エステル単量体をモノマー単位として含有する重合体である。
【００７０】
このようなカルボン酸エステル単量体単位を含有するポリオレフィン系共重合体としては、例えばカルボン酸エステル単量体単位を含有するポリエチレン系共重合体、及びカルボン酸エステル単量体単位を含有するポリプロピレン系共重合体が挙げられる。
【００７１】
カルボン酸エステル単量体単位を含有するポリエチレン系共重合体としては、例えばエチレン−アクリル酸メチル共重合体、エチレン−アクリル酸エチル共重合体、エチレン−アクリル酸ブチル共重合体、エチレン−メタクリル酸メチル共重合体、及びエチレン−メタクリル酸エチル共重合体が挙げられる。これらのうちでは、エチレン−メタクリル酸メチル共重合体が好適である。エチレン−メタクリル酸メチル共重合体の実例としては、いずれも住友化学株式会社製造に係る商品名「アクリフトＷＫ３０７」（共重合体中のメタクリル酸メチルの割合：２５重量％）、同「アクリフトＷＨ３０３」（共重合体中のメタクリル酸メチルの割合：１８重量％）、同「アクリフトＷＤ３０１」（共重合体中のメタクリル酸メチルの割合：１０重量％）等が挙げられる。
【００７２】
カルボン酸エステル単量体単位を含有するポリプロピレン系共重合体としては、例えばプロピレン−アクリル酸メチル共重合体、プロピレン−アクリル酸エチル共重合体、プロピレン−アクリル酸ブチル共重合体、プロピレン−メタクリル酸メチル共重合体、及びプロピレン−メタクリル酸エチル共重合体が挙げられる。
【００７３】
これらの重合体は、モノマーを公知のラジカル重合触媒やイオン重合触媒を用いて、公知の重合方法によって重合させることにより製造することができる。公知の触媒としては、例えば、過酸化物触媒、チグラー−ナッタ系触媒、メタロセン系触媒等が挙げられ、公知の重合方法としては、例えば、溶液重合法、スラリー重合法、高圧イオン重合法、高圧ラジカル重合法、及び気相重合法が挙げられる。
【００７４】
本発明に用いられるポリオレフィン系樹脂がカルボン酸エステル単量体単位を多く含有するポリオレフィン系重合体とオレフィンの単独重合体とを混合して適切なカルボン酸エステル単量体単位を含有するように調製したポリマーブレンドである場合のポリマーブレンドとしては、例えばエチレン−アクリル酸メチル共重合体とポリエチレンとのポリマーブレンド、エチレン−アクリル酸エチル共重合体とポリエチレンとのポリマーブレンド、エチレン−メタクリル酸メチル共重合体とポリエチレンとのポリマーブレンド、及びエチレン−メタクリル酸エチル共重合体とポリエチレンとのポリマーブレンドが挙げられる。これらのうちでは、エチレン−メタクリル酸エチル共重合体とポリエチレンとのポリマーブレンドが好適である。
【００７５】
本発明において、樹脂がポリオレフィン系樹脂である場合、本防除材には、式（１）で示されるエステル化合物が、式（１）で示されるエステル化合物とポリオレフィン系樹脂中のカルボン酸エステル単量体単位とが、重量比で通常３：１〜１：３、好ましくは２：１〜１：２の割合で含有される。
【００７６】
本発明において、本防除材には必要に応じて酸化防止剤、紫外線吸収剤、顔料等が含有されている。
かかる酸化防止剤としては、例えばブチルヒドロキシアニソール（ＢＨＡ）、ステアリル  β−（３，５−ジ−ｔ−ブチル−４−ヒドロキシフェニル）プロピオネート、４，４’−チオビス（３−メチル−６−ｔ−ブチルフェノール）（ＴＢＭＴＢＰ）、及びトリフェニルホスファイトが挙げられ、紫外線吸収剤としては、例えば、サリチル酸フェニル、２，４−ジヒドロキシベンゾフェノン、２−ヒドロキシ−４−メトキシベンゾフェノン、２−（２’−ヒドロキシ−５’−メチルフェニル）ベンゾトリアゾール等が挙げられる。
【００７７】
本発明において、本防除材は樹脂成分と常温揮散性の害虫防除成分とを、密閉式加圧ニーダー、ヘンシェルミキサー、バンバリーミキサー、スーパーミキサー、ミキシングロール、単軸ないし多軸スクリュウ押出機等の混練機を用いて混練し、得られる混練物を熱可塑性樹脂に通常用いられる成形方法（例えば、射出成形、押出成形、カレンダー成形、ブロー成形、真空成形）により賦形することにより製造される。
また本防除材は前記により賦形された成形体をスリット加工、スライス加工、ペレット加工等の二次加工により形状を変更されたものであってもよい。
【００７８】
前記の方法により製造される本防除材は、比表面積の大きな網状や格子状の形態とした上で常温揮散性の害虫防除成分を空気中へ効率的に拡散させることが可能である。本発明における網状の形態を有する本防除材は、網状の一体成形体のほか、繊維状若しくはフィラメント状に成形し、紡績、編成及び切断等の加工により製造される網状の加工物が挙げられるが、製造効率の点からは、網状の一体成形体であることが好ましい。網状の害虫防除材は、網成形用異形ダイス等を用いた押出成形によって容易に製造できる。本防除材には常温揮散性の害虫防除成分が通常０．１〜２０重量％の割合、好ましくは０．１〜１０重量％、さらに好ましくは０．５〜７．０重量％の割合で含有される。
【００７９】
網状の害虫防除材におけるフィラメントの幅は、使用目的に応じて定めるべきであるが、通常０．０５〜３ｍｍであり、０．１〜２ｍｍが好適である。これより太くなると害虫防除成分の揮散が不十分となるおそれがあり、これより細くなると、強度不足になるおそれや、害虫防除成分の揮散が早すぎて寿命が短くなるおそれがある。
【００８０】
網状の害虫防除材の具体的製法としては、例えば、害虫防除成分であるエステル化合物と、樹脂成分とを密閉式加圧ニーダー（例えば森山製作所製）を用いて溶融混練し、得られた混練物を押出機から押し出しながらホットカットして、ペレットを得、このペレットと直鎖状低密度ポリエチレン（エチレンの単独重合体）のペレットとを混合・混練して混練物を得、次いで、この混練物を押出成形機から網成形用異形ダイスを介して押出すことにより、網が円筒状となった成形体を得、この成形体から必要な大きさと形状を有する網を切り取って、害虫防除材を得る製法が挙げられる。
【００８１】
格子状の害虫防除材における孔の辺長は、通常０．１〜２０ｍｍであり、１〜１０ｍｍが好適である。これより大きくなると、害虫防除成分の揮散に寄与しないで孔を通過する空気の割合が大きくなりすぎる。また、格子の孔と孔を仕切る部位（格子の桟）の厚みは、通常０．１〜５０ｍｍであり、０．３〜２０ｍｍが好適である。これより厚くなると害虫防除成分の揮散が不十分となるおそれがあり、これより薄くなると、強度不足になるおそれや、害虫防除成分の揮散が早すぎて寿命が短くなるおそれがある。なお、格子状の害虫防除材は、射出成形によれば容易に製造できる。
【００８２】
格子状の害虫防除材の具体的製法としては、例えば、害虫防除成分であるエステル化合物と、樹脂成分とを密閉式加圧ニーダー（例えば森山製作所製）を用いて溶融混練し、得られた混練物を押出機から押し出しながらホットカットして、ペレットを得、このペレットと直鎖状低密度ポリエチレン（エチレンの単独重合体）のペレットとを混合・混練して混練物を得、次いで、この混練物を射出成形機により成形することにより、格子状の成形体を得、この成形体から必要な大きさと形状を有する格子を切り取って、害虫防除材を得る製法が挙げられる。
【００８３】
本発明において、外気にさらされた時間に応じて外観が変化する表示手段を外部から目視可能な状態で備えたインジケータを設け、害虫防除成分が気化しきる時期と上記外観が変化する時期を合わせておけば、使用者は、害虫防除成分が気化しきる時期、すなわち、防虫具または通気部材の交換時期を目視により容易に知ることができる。
【００８４】
本発明において表示手段は、外気にさらされることで状態が変化するものであればよく、その形態は特に限定されない。例えば、外気にさらされることによって体積が縮小していく昇華性物質を用いることができるほか、経時的に縮小するようなゲル等も採用できる。また、減感剤の蒸散により顕色剤と色素が反応して担体が発色するような、外気曝露を開始してから所定時間経過後に変色するもの（着色インジケータ）や、外気曝露を開始してから所定時間経過後に担体に文字等が浮き出るものも採用できる。更に、気化性物質（香料、フィトンチッド、防錆剤、防カビ剤、防菌剤の中から適当なもの、たとえば色のあるもの、匂いのあるもの）などを選択使用できる。
【００８５】
昇華性物質としては、トリシクロ［３，３，１，１3,7］デカン（商品名アダマンタン：出光石油化学株式会社製）、シクロドデカン（商品名アイサワ−Ｄ：出光石油化学株式会社製）、イソプロピルトリオキサン（商品名サンサブリ：小川香料株式会社製）、テトラヒドロジシクロペンタジエン（商品名ＴＭＮ：出光石油化学株式会社製）等を例示できる。また、防虫剤であるパラジクロルベンゼン、ショウノウ、ナフタリン等も昇華性物質として使用できる。
【００８６】
通気部材（害虫防除材）を交換可能とする場合には、インジケータも交換可能とすべきである。インジケータを防虫具に取り付ける構成としては、枠部材にポケット状の差込部を設けて挿入する、インジケータに係止部を設けて通気部材の網状部または格子状部に吊り下げる、枠部材に貼付する、等の種々のものを適宜採用すればよい。インジケータは、外気と接触しないように樹脂フィルム等で包装して販売し、その包装を開いたときから外気への曝露が開始されるようにすればよい。もっとも、通気部材（害虫防除材）を交換可能としない場合ならば、防虫具そのものの包装を開いたときからインジケータの外気への曝露が開始されるようにしてよい。
【００８７】
本発明の防虫具は、広く種々の害虫の防除に用いることができ、防除対象の虫は限定されるものではないが、有害飛翔性害虫である蚊（アカイエカ、ネッタイイエカ、チカイエカ、コダカアカイエカ等のイエカ類、ヒトスジシマカ、ネッタイシマカ、オオクロヤブカ等のヤブカ類、シナハマダラカ、コガタハマダラカ、ガンビアハマダラカ等のハマダラカ類）、ハエ（サシバエ類、ヌカカ類、ユスリカ類、イエバエ、オオイエバエ類のイエバエ類、クロバエ類、ニクバエ類、タネバエ、ヒメイバエ、タマネギバエ等のハナバエ類、ミバエ類、ショウジョウバエ類、チョウバエ類）、ブユ類、アブ類等の双翅目害虫、スズメバチ類、アリガタバチ類、カブラハバチ等の膜翅目害虫が挙げられ、特に蚊の防除に有用である。
【図面の簡単な説明】
【００８８】
【図１】本発明の一実施形態である防虫具の正面図である。
【図２】上記防虫具の通気部材を取り外した状態を示す説明図である。
【図３】図１の部分断面斜視図である。
【図４】通気部材を枠部材に取り付けるための他の構成を示す本発明に係る防虫具の部分断面斜視図である。
【図５】通気部材を枠部材に取り付けるためのさらに他の構成を示す本発明に係る防虫具の部分断面斜視図である。
【図６】本発明の他の実施形態である防虫具の正面図である。
【図７】本発明の変形実施形態に用いる網状の通気部材の正面図である。
【図８】本発明の一実施形態である防虫具を洗濯物とともに吊り下げたベランダの斜視図である。
【符号の説明】
【００８９】
１，１１  防虫具
２，１２  本体部
３，１３  係止部
５，１５  枠部材
６，１６  通気部材
７，１７  インジケータ
【図１】
2006314284.tif 000009
【図２】
2006314284.tif 000010
【図３】
2006314284.tif 000011
【図４】
2006314284.tif 000012
【図５】
2006314284.tif 000013
【図６】
2006314284.tif 000014
【図７】
2006314284.tif 000015
【図８】
2006314284.tif 000016